(57)【要約】【課題】インクを吐出するノズルが設けられるノズル面に悪影響を与えることを抑制しつつ、ワイピング部材などの接触部を前記ノズル面に対して接触させる。【解決手段】インクを吐出するノズルが設けられるノズル面Ｆを有する記録ヘッド４と、ノズル面Ｆに対して接触する方向及び離間する方向に移動可能な接触部１６と、接触部１６におけるノズル面Ｆ側とは反対側から、接触部１６をノズル面Ｆに接触させる接触力を付与する接触力付与部１７と、前記接触力の付与タイミングを決定する決定部８、９及び１８と、を備える。【選択図】図２
2015116759.tif 000002
【特許請求の範囲】
【請求項１】
インクを吐出するノズルが設けられるノズル面を有する記録ヘッドと、
前記ノズル面に対して接触する方向及び離間する方向に移動可能な接触部と、
前記接触部における前記ノズル面側とは反対側から、前記接触部を前記ノズル面に接触させる接触力を付与する接触力付与部と、
前記接触力の付与タイミングを決定する決定部と、
を備えることを特徴とする記録装置。
【請求項２】
請求項１に記載の記録装置において、
前記接触部は、磁石を備え、
前記接触力付与部は、前記付与タイミングに従って前記磁石に対して反発する磁力を付与する電磁石を備えることを特徴とする記録装置。
【請求項３】
請求項１に記載の記録装置において、
前記接触力付与部は、前記付与タイミングに従って前記反対側から気体を吹き込んで前記接触部に接触力を付与する気体吹き込み部を備えることを特徴とする記録装置。
【請求項４】
請求項１から３のいずれか１項に記載の記録装置において、
前記記録ヘッドは、被記録媒体に対して往復移動しつつ前記インクを吐出して記録する構成であり、
前記決定部は、前記記録ヘッドの前記往復移動の方向における位置を検出して前記付与タイミングを決定する構成であることを特徴とする記録装置。
【請求項５】
請求項４に記載の記録装置において、
前記決定部は、前記位置を検出する光学センサーを備えることを特徴とする記録装置。
【請求項６】
請求項５に記載の記録装置において、
前記記録ヘッドの前記往復移動の移動経路に光源が備えられ、
前記光学センサーは、前記移動経路において前記光源と対向する位置に備えられ、
前記決定部は、前記光源から照射される照射光が前記往復移動に伴って前記記録ヘッドにより前記光学センサーにおいて遮光される遮光タイミングに従って、前記付与タイミングを決定する構成であることを特徴とする記録装置。
【請求項７】
請求項５に記載の記録装置において、
前記記録ヘッドに光源が備えられ、
前記光学センサーは、前記移動経路において前記光源と対向可能な位置に備えられ、
前記決定部は、前記光源から照射される照射光が前記往復移動に伴って前記光学センサーに照射される照射タイミングに従って、前記付与タイミングを決定する構成であることを特徴とする記録装置。
【発明の詳細な説明】
【技術分野】
【０００１】
本発明は、記録装置に関する。
【背景技術】
【０００２】
従来から、インクをノズルから吐出して被記録媒体に記録する記録装置が使用されている。このような記録装置においては、インクを吐出するノズルが設けられるノズル面に対して、ワイピング部材などの接触部を接触させることが行われている。例えば、特許文献１には、磁石の吸引力を利用して、ノズル面に対して回復手段を密着させることが可能な記録装置が開示されている。
【先行技術文献】
【特許文献】
【０００３】
【特許文献１】特開２０１０−８９３６８号公報
【発明の概要】
【発明が解決しようとする課題】
【０００４】
しかしながら、従来の、ノズル面に対してワイピング部材などの接触部を接触させることが可能な記録装置においては、ノズル面に対して接触部を強く接触させすぎること等によってノズル面に悪影響を与える場合があった。
【０００５】
そこで、本発明の目的は、インクを吐出するノズルが設けられるノズル面に悪影響を与えることを抑制しつつ、ワイピング部材などの接触部を前記ノズル面に対して接触させることである。
【課題を解決するための手段】
【０００６】
上記課題を解決するための本発明の第１の態様の記録装置は、インクを吐出するノズルが設けられるノズル面を有する記録ヘッドと、前記ノズル面に対して接触する方向及び離間する方向に移動可能な接触部と、前記接触部における前記ノズル面側とは反対側から、前記接触部を前記ノズル面に接触させる接触力を付与する接触力付与部と、前記接触力の付与タイミングを決定する決定部と、を備えることを特徴とする。
【０００７】
本態様によれば、前記反対側から前記接触部を前記ノズル面に接触させる力を付与する接触力付与部を備える。すなわち、前記接触部を前記ノズル面に対して接触させる際に、前記反対側から前記接触部に斥力等の接触力を付与する。このように、前記反対側から前記接触部に接触力を付与する構成とすることで、前記反対側に向けて前記接触部を移動する（逃がす）ことが可能な空間を設けることができる。このため、インクを吐出するノズルが設けられるノズル面に悪影響を与えることを抑制しつつ、ワイピング部材などの接触部を前記ノズル面に対して接触させることができる。
【０００８】
本発明の第２の態様の記録装置は、前記第１の態様において、前記接触部は、磁石を備え、前記接触力付与部は、前記付与タイミングに従って前記磁石に対して反発する磁力を付与する電磁石を備えることを特徴とする。
【０００９】
本態様によれば、前記接触部は、磁石を備え、前記接触力付与部は、前記付与タイミングに従って前記磁石に対して反発する磁力を付与する電磁石を備える。このため、簡単に前記接触力付与部を構成することができる。
【００１０】
本発明の第３の態様の記録装置は、前記第１又は第２の態様において、前記接触力付与部は、前記付与タイミングに従って前記反対側から気体を吹き込んで前記接触部に接触力を付与する気体吹き込み部を備えることを特徴とする。
【００１１】
本態様によれば、前記接触力付与部は、前記付与タイミングに従って前記反対側から気体を吹き込んで前記接触部に接触力を付与する気体吹き込み部を備える。このため、簡単に前記接触力付与部を構成することができる。
【００１２】
本発明の第４の態様の記録装置は、前記第１から第３のいずれか１つの態様において、前記記録ヘッドは、被記録媒体に対して往復移動しつつ前記インクを吐出して記録する構成であり、前記決定部は、前記記録ヘッドの前記往復移動の方向における位置を検出して前記付与タイミングを決定する構成であることを特徴とする。
【００１３】
本態様によれば、前記決定部は、前記記録ヘッドの前記往復移動の方向における位置を検出して前記付与タイミングを決定する構成である。このため、前記記録ヘッドの前記往復移動に同期して正確に前記付与タイミングを決定することができる。
【００１４】
本発明の第５の態様の記録装置は、前記第４の態様において、前記決定部は、前記位置を検出する光学センサーを備えることを特徴とする。
【００１５】
本態様によれば、前記決定部は、前記位置を検出する光学センサーを備える。このため、簡単な構成で前記記録ヘッドの前記往復移動の方向における位置を検出することができる。
【００１６】
本発明の第６の態様の記録装置は、前記第５の態様において、前記記録ヘッドの前記往復移動の移動経路に光源が備えられ、前記光学センサーは、前記移動経路において前記光源と対向する位置に備えられ、前記決定部は、前記光源から照射される照射光が前記往復移動に伴って前記記録ヘッドにより前記光学センサーにおいて遮光される遮光タイミングに従って、前記付与タイミングを決定する構成であることを特徴とする。
【００１７】
本態様によれば、前記移動経路に前記光源と前記光学センサーとが備えられ、前記決定部は前記遮光タイミングに従って前記付与タイミングを決定する。一般的に記録ヘッドの往復移動の移動経路は広い場合が多く、前記光源及び前記光学センサーを取り付ける位置の自由度が高い場合が多い。このため、前記光源及び前記光学センサーを高い自由度で設置することができる。
【００１８】
本発明の第７の態様の記録装置は、前記第５の態様において、前記記録ヘッドに光源が備えられ、前記光学センサーは、前記移動経路において前記光源と対向可能な位置に備えられ、前記決定部は、前記光源から照射される照射光が前記往復移動に伴って前記光学センサーに照射される照射タイミングに従って、前記付与タイミングを決定する構成であることを特徴とする。
【００１９】
ここで、「対向可能な位置」とは、前記記録ヘッドの前記往復移動の際に対向する位置を通過すれば足りる意味である。  
本態様によれば、前記記録ヘッドに光源が備えられ、前記移動経路に前記光学センサーが備えられる。例えば、前記記録ヘッドの前記往復移動の方向における両端部に前記光源を備える構成とすることで、簡単に、高い精度で前記付与タイミングの決定をすることができる。
【図面の簡単な説明】
【００２０】
【図１】本発明の実施例１に係る記録装置を表す概略側面断面図。
【図２】本発明の実施例１に係る記録装置において接触部がノズル面に対して接触していない状態を表す概略図。
【図３】本発明の実施例１に係る記録装置において接触部がノズル面に対して接触している状態を表す概略図。
【図４】本発明の実施例２に係る記録装置において接触部がノズル面に対して接触していない状態を表す概略図。
【図５】本発明の実施例２に係る記録装置において接触部がノズル面に対して接触している状態を表す概略図。
【図６】本発明の実施例３に係る記録装置において接触部がノズル面に対して接触している状態を表す概略図。
【図７】本発明の実施例３に係る記録装置において接触部がノズル面に対して接触していない状態を表す概略図。
【図８】本発明の実施例４に係る記録装置において接触部がノズル面に対して接触していない状態を表す概略図。
【図９】本発明の実施例４に係る記録装置において接触部がノズル面に対して接触している状態を表す概略図。
【発明を実施するための形態】
【００２１】
以下に、本発明の一実施例に係る記録装置について、添付図面を参照して詳細に説明する。  
［実施例１］（図１〜図３）  
最初に、本発明の実施例１に係る記録装置について説明する。  
図１は本実施例に係る記録装置１の概略側面断面図を表している。
【００２２】
本実施例の記録装置１は、記録を行うためのロール状の被記録媒体ＰのロールＲ１を支持する支持軸２を備えている。そして、本実施例の記録装置１は、被記録媒体Ｐを搬送方向Ａに搬送する際、支持軸２は回転方向Ｃに回転する。なお、本実施例では被記録面が外側になるように巻かれているロール式の被記録媒体Ｐを使用しているが、被記録面が内側になるように巻かれているロール式の被記録媒体Ｐを使用する場合は、支持軸２の回転方向Ｃとは逆回転してロールＲ１を送り出すことが可能である。  
また、本実施例の記録装置１は被記録媒体Ｐとしてロール式の被記録媒体を使用しているが、このようなロール式の被記録媒体を使用する記録装置に限定されない。例えば、単票式の被記録媒体を用いてもよい。
【００２３】
また、本実施例の記録装置１は、被記録媒体Ｐを搬送方向Ａに搬送するための、不図示の複数の搬送ローラーを備える搬送機構１１を備えている。該搬送機構１１には、プラテン３に支持された被記録媒体Ｐを加熱可能なプラテンヒーター５が設けられている。  
なお、本実施例のプラテンヒーター５はプラテン３と対向する位置に設けられ、被記録媒体Ｐの表面を３５℃から５０℃に加熱可能な赤外線ヒーターであるが、このようなヒーターに限定されず、プラテン３側から被記録媒体Ｐを加熱可能なヒーターを用いてもよい。ここで、好ましい赤外線の波長は０．７６〜１０００μｍである。一般的に、赤外線は波長によってさらに、近赤外線、中赤外線、遠赤外線に区分され、区分の定義は様々であるが、おおよそ波長域は、０．７８〜２．５μｍ、２．５〜４．０μｍ、４．０〜１０００μｍとなる。なかでも中赤外線を用いることが好ましい。
【００２４】
また、本実施例の記録装置１は、被記録媒体Ｐの搬送方向Ａと交差する方向Ｂに記録部としての記録ヘッド４を往復走査させつつ、複数のノズルが設けられたノズル面Ｆの該ノズルからインクを吐出して記録する記録機構１２を備えている。なお、本実施例の記録装置１は、記録ヘッド４を往復走査させて記録する記録機構１２を備えているが、インクを吐出するノズルを搬送方向Ａと交差する方向Ｂに複数設けた所謂ラインヘッドを備える記録装置でもよい。  
ここで、「ラインヘッド」とは、被記録媒体Ｐの搬送方向Ａと交差する方向Ｂに形成されたノズルの領域が、方向Ｂ全体をカバー可能なように設けられ、記録ヘッド又は被記録媒体の一方を固定し他方を移動させて画像を形成する記録装置に用いられる記録ヘッドである。なお、ラインヘッドの方向Ｂのノズルの領域は、記録装置が対応している全ての被記録媒体Ｐの方向Ｂ全体をカバー可能でなくてもよい。  
また、記録ヘッドのノズル領域を、被記録媒体Ｐの搬送方向Ａと交差する方向Ｂ全体をカバー可能なように設け、記録ヘッド又は被記録媒体の両方を移動させて画像を形成してもよい。
【００２５】
なお、本実施例の記録装置１には、前記方向Ｂにおける記録ヘッド４の移動経路において、ノズル面Ｆと対向可能な位置に該ノズル面Ｆのワイピング等のメンテナンスが可能なメンテナンス機構１４（図２及び図３参照）を備えている。  
ここで、「対向可能な位置」とは、前記記録ヘッドの前記往復移動の際に対向する位置を通過すれば足りる意味である。  
また、本実施例の記録装置１には、前記方向Ｂにおける記録ヘッド４の移動経路に、光源８と光学センサー９とを備えている。光源８と光学センサー９とは、記録ヘッド４の移動経路を挟んで対向する位置に設けられており、記録ヘッド４の往復移動に伴って、光学センサー９に光源８から照射される照射光Ｌ（図２及び図３参照）は入射状態と遮断状態とが繰り返される構成になっている。
【００２６】
搬送機構１１及び記録機構１２の被記録媒体Ｐの搬送方向Ａにおける下流側には、乾燥部としての赤外線ヒーターで構成されるアフターヒーター７により媒体支持部６に搬送された被記録媒体Ｐを乾燥させる乾燥機構１３を備えている。アフターヒーター７は、本実施例の記録装置１で用いられるインクを乾燥させるため、被記録媒体Ｐの表面を６０℃から１２０℃に加熱可能な赤外線ヒーターであるが、このようなヒーターに限定されない。また、乾燥部としては、赤外線ヒーター等の加熱装置のほか、ファン等の送風装置等であってもよい。
【００２７】
また、乾燥機構１３の被記録媒体Ｐの搬送方向Ａにおける下流側には、被記録媒体ＰをロールＲ２として巻き取り可能な巻取軸１０が備えられている。なお、本実施例では被記録面が外側になるように巻かれているロール式の被記録媒体Ｐを使用しているので、被記録媒体Ｐを巻き取る際、巻取軸１０は回転方向Ｃに回転する。一方、被記録面が内側になるように巻かれているロール式の被記録媒体Ｐを使用する場合は、回転方向Ｃとは逆回転してロールＲ１を巻き取ることが可能である。
【００２８】
次に、本実施例の記録装置１におけるメンテナンス機構について説明する。  
図２及び図３は、本実施例の記録装置１のメンテナンス機構１４を説明するための概略図である。詳細には、図２は、本実施例の記録装置１においてメンテナンス機構１４を構成する接触部１６がノズル面Ｆに対して接触していない状態を表す概略図である。また、図３は、本実施例の記録装置１において接触部１６がノズル面Ｆに対して接触している状態を表す概略図である。
【００２９】
本実施例の記録装置１において、記録ヘッド４は、ガイド軸１５に沿って方向Ｂに往復移動しつつ、ノズル面Ｆからインクを吐出して被記録媒体Ｐに記録する。本実施例の記録装置１は、このように被記録媒体Ｐに対して記録を行う際の記録ヘッド４の往復移動に同期して記録ヘッド４のメンテナンスが可能な構成となっている。
【００３０】
具体的には、本実施例の記録装置１のメンテナンス機構１４は、永久磁石を下部に備えるワイピング部材としての接触部１６と、スイッチ部１８と接続される電磁石１７（接触力付与部）と、を有している。ここで、接触部１６は、スイッチ部１８のオン及びオフに対応する電磁石１７からの斥力（接触部１６をノズル面Ｆに接触させる接触力であり、前記永久磁石に対して反発する磁力）の発生及び非発生に伴って、ノズル面Ｆに対して接触する方向及び離間する方向である方向Ｄに移動可能な構成となっている。スイッチ部１８は、光学センサー９が光源８から照射される照射光Ｌを入射している場合はオフになり入射していない場合はオンになるように構成されている。
【００３１】
そして、図２で表されるように、光源８から照射される照射光Ｌを光学センサー９で入射している場合は、スイッチ部１８がオフになり、接触部１６に対する電磁石１７からの斥力は非発生となり、接触部１６は重力により電磁石１７と接触する下方（ノズル面Ｆに対して離間する方向）に位置する。一方、図３で表されるように、光源８から照射される照射光Ｌが記録ヘッド４により遮光され光学センサー９に該照射光Ｌが入射していない場合は、スイッチ部１８がオンになり、接触部１６に対する斥力を電磁石１７は発生し、接触部１６はノズル面Ｆと接触する位置まで移動する。
【００３２】
このように、本実施例の記録装置１は、メンテナンス機構１４の上部に記録ヘッド４が位置した状態のときに、接触部１６を記録ヘッド４に接触可能な上方の位置まで移動させ、メンテナンス機構１４の上部に記録ヘッド４が位置していない状態のときに、接触部１６を下方の位置まで移動させる構成である。
【００３３】
また、図３で表されるように、本実施例の記録装置１は、接触部１６がノズル面Ｆに対して接触している状態においては、接触部１６と電磁石１７との間に空間Ｓが構成される。このため、空間Ｓが緩衝部となり、接触部１６がノズル面Ｆに対して強く接触しすぎることを抑制している。
【００３４】
なお、本実施例の接触部１６は、メンテナンス機構１４への取付け及びメンテナンス機構１４からの取り外しが容易であるため、接触部１６が経時劣化等した場合に該接触部１６の交換が簡単になっている。
【００３５】
上記について別の表現をすると、本実施例の記録装置１は、インクを吐出するノズルが設けられるノズル面Ｆを有する記録ヘッド４と、ノズル面Ｆに対して接触する方向及び離間する方向Ｄに移動する接触部１６と、接触部１６におけるノズル面Ｆ側とは反対側から、接触部１６をノズル面Ｆに接触させる接触力を付与する接触力付与部としての電磁石１７と、前記接触力の付与タイミングを記録ヘッド４の位置に対応して決定する決定部を構成する光源８、光学センサー９及びスイッチ部１８、を備えている。  
このように、本実施例の記録装置１は、接触部１６をノズル面Ｆに対して接触させる際に、前記反対側から接触部１６に接触力を付与する構成とすることで、前記反対側に向けて接触部１６を移動する（逃がす）ことが可能な空間Ｓを設けている。このため、インクを吐出するノズルが設けられるノズル面Ｆに悪影響を与えることを抑制しつつ、ワイピング部材である接触部１６をノズル面Ｆに対して接触させることができる構成になっている。
【００３６】
また、上記のように、接触部１６は、接触部１６におけるノズル面Ｆ側とは反対側に磁石を備えている。そして、本実施例の記録装置１における接触力付与部は、前記接触力の付与タイミングに従って前記磁石に対して反発する磁力を付与する電磁石１７である。こうして、接触力付与部を簡単に構成している。
【００３７】
また、上記のように、記録ヘッド４は、被記録媒体Ｐに対して往復移動しつつインクを吐出して記録する構成である。そして、前記決定部（光源８、光学センサー９及びスイッチ部１８）は、記録ヘッド４の往復移動の方向Ｂにおける位置を検出して前記接触力の付与タイミングを決定する構成である。こうして、記録ヘッド４の往復移動に同期して正確に前記接触力の付与タイミングを決定している。
【００３８】
また、上記のように、前記決定部は、記録ヘッド４の往復移動の方向Ｂにおける位置を検出する光学センサー９を備えている。このため、このような簡単な構成で記録ヘッド４の往復移動の方向Ｂにおける位置を検出している。
【００３９】
また、上記のように、本実施例の記録装置１は、記録ヘッド４の往復移動の移動経路に光源８が備えられ、光学センサー９は、前記移動経路において光源８と対向する位置に備えられている。そして、前記決定部（光源８、光学センサー９及びスイッチ部１８）は、光源８から照射される照射光Ｌが前記往復移動に伴って記録ヘッド４により光学センサー９において遮光される遮光タイミングに従って、前記接触力の付与タイミングを決定している。一般的に記録ヘッド４の往復移動の移動経路は広い場合が多く、光源８及び光学センサー９を取り付ける位置の自由度が高い場合が多い。このため、本実施例の記録装置１は、光源８及び光学センサー９を高い自由度で設置できている。
【００４０】
［実施例２］（図４〜図５）  
次に、実施例２の記録装置について、添付図面を参照して詳細に説明する。  
図４及び図５は、本実施例の記録装置１を説明するための概略図である。詳細には、図４は、本実施例の記録装置１においてメンテナンス機構１４を構成する接触部１６がノズル面Ｆに対して接触していない状態を表す概略図である。また、図５は、本実施例の記録装置１において接触部１６がノズル面Ｆに対して接触している状態を表す概略図である。なお、上記実施例と共通する構成部材は同じ符号で示しており、詳細な説明は省略する。  
なお、本実施例の記録装置１は、前記決定部を構成する光源８が記録ヘッド４の往復移動の移動経路に備えられるのではなく記録ヘッド４に取り付けられていること以外は実施例１の記録装置１と同様の構成である。
【００４１】
図４及び図５で表されるように、本実施例の記録装置１は、記録ヘッド４の方向Ｂにおける一方の端部に光源８が設けられている。そして、図５で表されるように光源８から照射される照射光Ｌを光学センサー９に入射されると、スイッチ部１８は所定時間スイッチをオンする構成になっている。本実施例の記録装置１は、スイッチ部１８がオンになると、接触部１６に対する斥力を電磁石１７は発生し、接触部１６はノズル面Ｆと接触する位置まで移動することに関しては実施例１の記録装置１と同様である。しかし、スイッチ部１８が所定時間スイッチオンを維持する構成になっている点で、実施例１の記録装置１と相違している。  
なお、図４の状態から図５の状態に移行する際に記録ヘッド４は、方向Ｂのうちの方向Ｂ１に移動している。本実施例の記録装置１は、不図示の制御部の制御により、記録ヘッド４が方向Ｂ１に移動する場合にのみスイッチ部１８がスイッチのオンとオフとを交互に行い、記録ヘッド４が方向Ｂ２に移動する場合にはスイッチ部１８がスイッチをオフに維持する構成になっている。
【００４２】
上記について別の表現をすると、本実施例の記録装置１は、記録ヘッド４に光源８が備えられ、光学センサー９は、記録ヘッド４の移動経路において光源８と対向可能な位置に備えられている。そして、前記決定部（光源８、光学センサー９及びスイッチ部１８）は、光源８から照射される照射光Ｌが記録ヘッド４の往復移動に伴って光学センサー９に照射される照射タイミングに従って、前記接触力の付与タイミングを決定する構成である。  
このように、本実施例の記録装置１は、実施例１の記録装置と同様、接触部１６をノズル面Ｆに対して接触させる際に、前記反対側から接触部１６に接触力を付与する構成である。そして、このような構成とすることで、前記反対側に向けて接触部１６を移動する（逃がす）ことが可能な空間Ｓを設けている。このため、インクを吐出するノズルが設けられるノズル面Ｆに悪影響を与えることを抑制しつつ、ワイピング部材である接触部１６をノズル面Ｆに対して接触させることができる構成になっている。
【００４３】
［実施例３］（図６〜図７）  
次に、実施例３の記録装置について、添付図面を参照して詳細に説明する。  
図６及び図７は、本実施例の記録装置１を説明するための概略図である。詳細には、図６は、本実施例の記録装置１においてメンテナンス機構１４を構成する接触部１６がノズル面Ｆに対して接触している状態を表す概略図である。また、図７は、本実施例の記録装置１において接触部１６がノズル面Ｆに対して接触していない状態を表す概略図である。なお、上記実施例と共通する構成部材は同じ符号で示しており、詳細な説明は省略する。  
なお、本実施例の記録装置１は、前記決定部を構成する光源が記録ヘッド４の方向Ｂにおける一方の端部のみに備えられるのではなく記録ヘッド４の方向Ｂにおける両方の端部に取り付けられていること以外は実施例２の記録装置１と同様の構成である。
【００４４】
図６及び図７で表されるように、本実施例の記録装置１は、記録ヘッド４の方向Ｂにおける一方の端部に光源８が設けられ、他方の端部に光源１９が設けられている。そして、光源８及び光源１９から照射される照射光Ｌを光学センサー９が入射する毎に、スイッチ部１８はスイッチのオンとオフとを交互に行う構成になっている。図６は光源８から照射される照射光Ｌを光学センサー９が入射しスイッチ部１８がスイッチをオンした状態を表しており、図７は図６の状態の後に光源１９から照射される照射光Ｌを光学センサー９が入射しスイッチ部１８がスイッチをオフした状態を表している。
【００４５】
なお、図６の状態から図７の状態に移行する際に記録ヘッド４は、方向Ｂのうちの方向Ｂ１に移動している。一方、図７の状態の後に続いて記録ヘッド４が方向Ｂ２に移動する場合、スイッチ部１８は、光源１９から照射される照射光Ｌを光学センサー９が入射するとスイッチをオンして接触部１６をノズル面Ｆに対して接触させ、続いて光源８から照射される照射光Ｌを光学センサー９が入射するとスイッチをオフして接触部１６をノズル面Ｆから離間させる。
【００４６】
上記のように、本実施例の記録装置１は、記録ヘッド４の往復移動に同期して最適なタイミングで接触部１６をノズル面Ｆに対して接触させている、すなわち、簡単に、高い精度で前記接触力の付与タイミングを決定している。
【００４７】
すなわち、本実施例の記録装置１は、実施例２の記録装置１と同様、記録ヘッド４に光源８が備えられ、光学センサー９は、記録ヘッド４の移動経路において光源８と対向可能な位置に備えられている。そして、前記決定部（光源８、光学センサー９及びスイッチ部１８）は、光源８から照射される照射光Ｌが記録ヘッド４の往復移動に伴って光学センサー９に照射される照射タイミングに従って、前記接触力の付与タイミングを決定する構成である。  
また、上記のように本実施例の記録装置１は、記録ヘッド４の往復移動の方向Ｂにおける両端部に光源を備える構成であるため、簡単に、高い精度で前記接触力の付与タイミングを決定している。
【００４８】
［実施例４］（図８〜図９）  
次に、実施例４の記録装置について、添付図面を参照して詳細に説明する。  
図８及び図９は、本実施例の記録装置１を説明するための概略図である。詳細には、図８は、本実施例の記録装置１においてメンテナンス機構１４を構成する接触部１６がノズル面Ｆに対して接触していない状態を表す概略図である。また、図９は、本実施例の記録装置１において接触部１６がノズル面Ｆに対して接触している状態を表す概略図である。なお、上記実施例と共通する構成部材は同じ符号で示しており、詳細な説明は省略する。  
なお、本実施例の記録装置１は、接触部１６に設けられた永久磁石及び電磁石１７の磁力による反発力により接触力としての斥力を発生させるのではなくポンプ２１により気体（空気）が送られることにより接触力を発生させること以外は実施例１の記録装置１と同様の構成である。
【００４９】
図８及び図９で表されるように、本実施例の記録装置１は、実施例１の記録装置１の電磁石１７の代わりに設けられる構成部材であり上部等に不図示の穴が設けられた空気室２０と、空気室２０に気体（空気）を送ることが可能なポンプ２１と、を備えている。また、スイッチ部１８はポンプ２１に接続されており、スイッチ部１８がスイッチをオンするとポンプ２１は空気室２０に空気を送り、スイッチ部１８がスイッチをオフするとポンプ２１は停止し空気室２０から空気が漏れる構成になっている。  
本実施例の記録装置１は、このような構成により、スイッチ部１８がスイッチをオンすることにより接触部１６の下側から気体を吹き込んで接触部１６をノズル面Ｆに対して接触させ、スイッチ部１８がスイッチをオフすることにより接触部１６をノズル面Ｆに対して離間させている。
【００５０】
上記について別の表現をすると、本実施例の記録装置１は、接触力付与部として、前記接触力の付与タイミングに従って接触部１６におけるノズル面Ｆ側とは反対側から気体を吹き込んで接触部１６に接触力を付与する気体吹き込み部（空気室２０及びポンプ２１）を備えている。こうして、簡単に接触力付与部を構成している。
【符号の説明】
【００５１】
１  記録装置、２  支持軸、３  プラテン、４  記録ヘッド、５  プラテンヒーター、
６  媒体支持部、７  アフターヒーター、８  光源（決定部）、
９  光学センサー９（決定部）、１０  巻取軸、１１  搬送機構、１２  記録機構、
１３  乾燥機構、１４  メンテナンス機構、１５  ガイド軸、１６  接触部、
１７  電磁石（接触力付与部）、１８  スイッチ部（決定部）、
１９  光源（決定部）、２０  空気室（接触力付与部、気体吹き込み部）、
２１  ポンプ（接触力付与部、気体吹き込み部）、Ｆ  ノズル面、Ｌ  照射光、
Ｐ  被記録媒体、Ｒ１  被記録媒体のロール、Ｒ２  被記録媒体のロール
【図１】
2015116759.tif 000003
【図２】
2015116759.tif 000004
【図３】
2015116759.tif 000005
【図４】
2015116759.tif 000006
【図５】
2015116759.tif 000007
【図６】
2015116759.tif 000008
【図７】
2015116759.tif 000009
【図８】
2015116759.tif 000010
【図９】
2015116759.tif 000011